(57)【要約】      （修正有）【課題】ゴルフプレイ中に、真にゴルファーが必要とするゴルフ情報を厳選し、その情報だけ得られ、しかも軽量で、バッテリー能力も高く、表示部の表示品位も優れた携帯端末を提供する。【解決手段】ゴルフ情報送受信本体装置と、プレイ中ゴルファー用携帯端末とを有して構成され、ゴルフ情報送受信本体装置は、現在地上位置情報が取得できるＧＰＳレシーバ部と、残距離情報等関連情報を算出して取得できるゴルフプレイ情報演算取得部と、情報を表示する表示部と、情報を送受信できる無線通信部とを備えて構成され、プレイ中ゴルファー用携帯端末は、プレイ中の現在地上位置情報を取得できるＧＰＳレシーバ部と、残距離情報演算取得部と、取得された情報を表示する表示部と、情報を送受信できる無線通信部とを備えた、ことを特徴とする。【選択図】図１
0003139827.tif 000002
【実用新案登録請求の範囲】
【請求項１】
ゴルフ情報送受信本体装置と、該ゴルフ情報送受信本体装置と送受信可能とされたプレイ中ゴルファー用携帯端末とを有して構成され、
ゴルフ情報送受信本体装置は、
ＧＰＳ衛星電波を受信し、ゴルフ場でのプレイ中のゴルファーが、現在地上位置情報が取得できるＧＰＳレシーバ部と、
前記現在地上位置情報により、特定位置までの残距離情報、ゴルフプレイ進行方向、ゴルフプレイ速度等のゴルフプレイ関連情報を算出して取得できるゴルフプレイ情報演算取得部と、
前記算出取得されたゴルフプレイ関連情報を表示する表示部と、
前記ゴルファー用携帯端末との間でＢｌｕｅｔｏｏｔｈ、Ｗｉｆｉ、無線ＬＡＮなどにより、少なくとも現在位置情報及び残距離情報を送受信できる無線通信部と、
を備えて構成され、
前記プレイ中ゴルファー用携帯端末は、
ＧＰＳ衛星電波を受信し、ゴルフ場でのプレイ中のゴルファーが、プレイ中の現在地上位置情報を取得できるＧＰＳレシーバ部と、
前記現在地上位置情報により特定位置までの残距離情報を演算取得する残距離情報演算取得部と、
前記取得された現在位置情報及び残距離情報を表示する表示部と、
前記ゴルフ情報送受信本体装置との間でＢｌｕｅｔｏｏｔｈ、Ｗｉｆｉ、無線ＬＡＮなどにより少なくとも現在位置情報及び残距離情報を送受信できる無線通信部と、
を備えた、
ことを特徴とするゴルフ情報送受信装置。
【請求項２】
前記プレイ中ゴルファー用携帯端末は、複数台設けられ、各々のプレイ中ゴルファー用携帯端末は、前記ゴルフ情報送受信本体装置と送受信可能としてなる、
ことを特徴とする請求項１記載のゴルフ情報送受信装置。
【考案の詳細な説明】
【技術分野】
【０００１】
本考案は、ゴルフ場でゴルフゴルファー３がプレイ中に現在の位置及び特定位置までの距離等の情報を手軽に得ることが出来るゴルファー用携帯端末と該携帯端末と簡単に情報の送受信ができると共に、ゴルフの詳細情報について取得、表示される本体装置の組み合わせからなるゴルフ情報送受信装置に関するものである。
【背景技術】
【０００２】
近年、ＧＰＳ衛星の電波を受信し、その受信した信号から、現在プレイ中の地上位置情報を取得すると共に、該現在地上位置情報を基に様々なゴルフプレイに関する情報を演算して取得し、その情報をゴルフゴルファー３のプレイに反映させて、ゴルファー３にハイスコアもたらすいわゆるハイテク型ゴルフ情報送受信装置が次々と開発されるに至っている。
しかしながら、これらのゴルフ情報送受信装置は、いまだ製品コストも高く、しかも重量も比較的重いものであり、ゴルフプレイ中、その本体装置を常時携帯することは、いかに瞬時に様々なゴルフプレイ情報が得られるものであっても、ゴルファーにとって常時携帯の負担が大きく、もってこの装置を使用することを躊躇うゴルファーがかなりの数存在していた。
そして、近年、軽くて携帯に便利で、製品コストも安く、しかも充分なゴルフに関する情報が送受信できるゴルフ情報送受信装置に開発が要請されるに至ったのである。
しかして、近年では前記の要請に応え、ＧＰＳ衛星電波が受信できる一般の携帯電話にゴルフに関する情報ソフトをも搭載し、この携帯電話をゴルフ情報送受信装置として使用する提案もなされるに至っている。
【０００３】
しかしながら、かかる携帯電話により構成されたゴルフ情報送受信装置では、ＧＰＳ衛星電波受信に伴う現在地上位置情報の取得と共に、他の情報も含めてやはり機能的に不充分であり、軽量ではあるがこれを使用によりゴルファーの欲求が充分に満たすものではなかった。
そこで、本件考案者らは思索に思索を重ね、前記ゴルファーの欲求を充分に満足させることの出来るゴルフ情報送受信装置を開発するに至った。
【特許文献１】実公平６−４７５０５号公報
【考案の開示】
【考案が解決しようとする課題】
【０００４】
かくして、本考案は、前記従来の課題に対処すべく案出されたものである。
すなわち、まず第１に、従来１台で構成されているゴルフ情報送受信装置をいわゆる親機と子機との複数台に分割した。
そして、ゴルフプレイ中に、真にゴルファーが必要とするゴルフ情報を厳選し、その情報だけ得られ、しかも軽量で、バッテリー能力も高く、さらには表示部の表示品位も優れた携帯端末を開発し、それをいわゆる子機としたのである。
さらに、詳細なゴルフプレイ情報は、親機から提供できるようにした。一般に、プレイ中のゴルファーは、例えばゴルフプレイの進行方向、ゴルフプレイの速度、風の向き、芝の状態などのゴルフプレイ関連情報は常時携帯する必要はあまりないものといえる。従ってその親機は例えばゴルフカートなどに配置しておき、必要なときだけ親機の情報を閲覧できればいいものである。
そして、プレイ中のゴルファーは、例えば、ゴルフプレイ中の現在地上位置が理解でき、該現在地上位置情報の取得から、日指すべきグリーンまでの残距離などの情報が前記携帯端末で随時取得できれば充分なのである。
従って、本考案は前記の課題に対処して、実際にプレイするゴルファーのニーズに応えた画期的なゴルフ情報送受信装置を提供することを日的とするものである。
【課題を解決するための手段】
【０００５】
本考案によるゴルフ情報送受信装置は、
ゴルフ情報送受信本体装置と、該ゴルフ情報送受信本体装置と送受信可能とされたプレイ中ゴルファー用携帯端末とを有して構成され、
ゴルフ情報送受信本体装置は、
ＧＰＳ衛星電波を受信し、ゴルフ場でのプレイ中のゴルファーが、現在地上位置情報が取得できるＧＰＳレシーバ部と、
前記現在地上位置情報により、特定位置までの残距離情報、ゴルフプレイ進行方向、ゴルフプレイ速度等のゴルフプレイ関連情報を算出して取得できるゴルフプレイ情報演算取得部と、
前記算出取得されたゴルフプレイ関連情報を表示する表示部と、
前記ゴルファー用携帯端末との間でＢｌｕｅｔｏｏｔｈ、Ｗｉｆｉ、無線ＬＡＮなどにより、少なくとも現在位置情報及び残距離情報を送受信できる無線通信部と、
を備えて構成され、
前記プレイ中ゴルファー用携帯端末は、
ＧＰＳ衛星電波を受信し、ゴルフ場でのプレイ中のゴルファーが、プレイ中の現在地上位置情報を取得できるＧＰＳレシーバ部と、
前記現在地上位置情報により特定位置までの残距離情報を演算取得する残距離情報演算取得部と、
前記取得された現在位置情報及び残距離情報を表示する表示部と、
前記ゴルフ情報送受信本体装置との間でＢｌｕｅｔｏｏｔｈ、Ｗｉｆｉ、無線ＬＡＮなどにより少なくとも現在位置情報及び残距離情報を送受信できる無線通信部と、
を備えた、
ことを特徴とし、
または、
前記プレイ中ゴルファー用携帯端末は、複数台設けられ、各々のプレイ中ゴルファー用携帯端末は、前記ゴルフ情報送受信本体装置と送受信可能としてなる、
ことを特徴とするものである。
【考案の効果】
【０００６】
本考案によるゴルフ情報送受信装置であれば、第１に、従来１台で構成されているゴルフ情報送受信装置をいわゆる親機と子機との複数台に分割し、該子機としては、ゴルフプレイ中に、真にゴルファーが必要とするゴルフ情報を厳選し、その情報だけ得られ、しかも軽量で、バッテリー能力も高く、さらには表示部の表示品位も優れた携帯端末となしえ、さらに、詳細なゴルフプレイ情報は、親機から提供できるようにし、一般に、プレイ中のゴルファーは、例えばゴルフプレイの進行方向、ゴルフプレイの速度、風の向き、芝の状態などのゴルフプレイ関連情報は常時携帯する必要はあまりないものといえ、従ってその親機は例えばゴルフカートなどに配置しておき、必要なときだけ親機の情報を閲覧できるようにし、プレイ中のゴルファーは、例えば、ゴルフプレイ中の現在地上位置が理解でき、該現在地上位置情報の取得から、日指すべきグリーンまでの残距離などの情報が前記携帯端末で随時取得でき、もって実際にプレイするゴルファーのニーズに的確に応えた画期的なゴルフ情報送受信装置を提供できるとの優れた効果を奏する。
【考案を実施するための最良の形態】
【０００７】
以下、本考案を図に示す最良の実施の形態に基づいて説明する。
本考案によるゴルフ情報送受信装置１は、図１から理解されるように、ゴルフ情報送受信本体装置２と、該ゴルフ情報送受信本体装置２と送受信可能とされたプレイ中ゴルファー用携帯端末３とを有して構成されている。
【０００８】
ここで、ゴルフ情報送受信本体装置２は、ＧＰＳ衛星電波８を受信し、ゴルフ場でのプレイ中のゴルファーが、現在地上位置情報を取得できるＧＰＳレシーバ部４と、前記現在地上位置情報により、特定位置までの残距離情報、ゴルフプレイ進行方向、ゴルフプレイ速度等のゴルフプレイ関連情報を算出して取得できるＣＰＵなどで構成されたゴルフプレイ情報演算取得部５と、前記算出取得されたゴルフプレイ関連情報を表示する表示部６と、前記ゴルファー用携帯端末との間でＢｌｕｅｔｏｏｔｈ、Ｗｉｆｉ、無線ＬＡＮなどにより、少なくとも現在位置情報及び残距離情報を送受信できる無線通信部７とを備え、そのほか入力部１１及びハードディスク、メモリなどの記憶部１２を有して構成されている。
【０００９】
また、前記プレイ中ゴルファー用携帯端末３は、図５に示すように、ＧＰＳ衛星電波８を受信し、ゴルフ場でのプレイ中のゴルファーが、プレイ中の現在地上位置情報を取得できるＧＰＳレシーバ部４と、前記現在地上位置情報により特定位置までの残距離情報を演算取得する残距離情報演算取得部９と、前記取得された現在位置情報及び残距離情報を表示する表示部６と、前記ゴルフ情報送受信本体装置２との間でＢｌｕｅｔｏｏｔｈ、Ｗｉｆｉ、無線ＬＡＮなどにより少なくとも現在位置情報及び残距離情報を送受信できる無線通信部７とを備え、そのほか入力部１１及びハードディスク、メモリなどの記憶部１２を有して構成されている。
【００１０】
次に、本考案の動作状態につき説明する。
まず、プレイ中のゴルファー１３は、自ら携帯するプレイ中ゴルファー用携帯端末３の操作がその場で行える（図２参照）。
ここで、プレイ中ゴルファー用携帯端末３は、前述の通り、ゴルファー３がプレイ中に現在のプレイ位置及び特定位置までの距離等の情報を得ることなどを日的とする携帯端末であり、ＧＰＳ衛星の電波を受信して、地上の位置（緯度、経度）、進行方向、速度等を算出し、無線通信にてゴルフ情報送受信本体装置２などの外部機器に前記の算出結果を出力するものである。
【００１１】
また、無線通信および有線通信にてゴルフ情報送受信本体装置２などの外部機器からゴルフ場のグリーンの位置情報を受信し、現在位置とグリーンまでの距離をディスプレイに表示できる。さらに、ゴルフ情報送受信本体装置２などの外部機器側ではプレイ中ゴルファー用携帯端末３で算出した測位情報を元に、コース上の位置や方位の確認ができる。
なお、プレイ中ゴルファー用携帯端末３は前述した通り、GPS測位機能、ゴルフ場情報の登録、地点記録、ログ保存、無線通信機能、表示機能を有している。
ここで、ＧＰＳ測位機能（GPSモジュール）により、GPS衛星の電波を受信して、日時、位置（緯度・経度）、高度、進行方向、速度を算出できる。
また、ゴルフ場情報の登録によって、ゴルフ場のコース情報を例えば複数のゴルフ場分登録できる。
さらに、地点登録（飛球位置）により、ポジションボタンを押した地点の位置情報を２００ポイント分など複数のポイント分記録できる。
また、ログ保存により移動した軌跡（ログ）を保存できる。
【００１２】
さらに、通信機能によって、Bluetooth無線通信およびUSBにて、毎秒のGPS測位情報及び記録した位置情報をゴルフ情報送受信本体装置２などの外部機器に出力します。また、ゴルフ情報送受信本体装置２などの外部機器からゴルフ場情報を受信できる。
表示機能によっては、ゴルフ場選択、コース選択、ホール情報、グリーンまでの残距離、飛距離、衛星情報をディスプレイに表示できる。
プレイ中ゴルファー用携帯端末３にはプレイゴルフモード、GPSステータスモード、設定モード、データ削除モード、データ通信モードがある。また、GPSの測位結果を１秒周期でBluetooth無線通信およびＵＳＢにてゴルフ情報送受信本体装置２などの外部機器に出力し、内部ＲＯＭにもログとして保存できる。
【００１３】
プレイゴルフモードとは、プレイ時のサポード情報を表示するモードで、現在位置とターゲット（本日のピン、グリーンエッジ、グリーンセンター）までの距離を表示する。
１ホールにグリーンが２つあるホールでは左グリーン、右グリーンの６箇所がターゲットとして表示される。また、ボール位置を最大で200ポイントまで記録でき、ショットを行う前にボール位置でポジションボタンを押すと、その位置情報を記録して、飛距離やショット数を表示する。
【００１４】
表示する距離の単位はヤードまたはメーターで、設定画面で切換えが可能になっている。自動的にホールを検出（Auto Hole Detect）し、そのホールの情報を表示する。この機能（Auto Hole Detect）も設定画面で自動／手動の設定が可能となっている。
GPS ステークスモードとは、GPS衛星の状態を表示するモードであり、測位結果から緯度、経度、抽捉衛星数を表示する。また、各衛星から受信した電波の強度を表示する。
設定モード、すんわち、設定を変更するモードで、距離の単位（ヤード／メーター）、ホール切替え方法、ログの保存、コントラスト表示、言語の設定が行える。
【００１５】
また、データ削除モードにより内部に保存しているデータを削除できる。例えば、ゴルフ場データ、地点データ、ログデータを削除できる。
さらに、データ通信モードによりゴルフ情報送受信本体装置２などの外部機器とデータ通信を行える。
そして、ゴルフ情報送受信本体装置２などの外部機器からデータ通信要求を受信すれば、測位データ（NMEA-0183）の出力を停止して、ゴルフ情報送受信本体装置２などの外部機器とデータの送受信が行える。
【００１６】
（ゴルフ場情報の取得について）
Bluetooth無線通信またはUSBにてゴルフ情報送受信本体装置２などの外部機器と接続し、ゴルフ情報送受信本体装置２などの外部機器からゴルフ場情報を取得して内部のＲＯＭに記億できる。なお、このゴルフ場情報データの記憶は例えば数１００件可能ともなる。
そして、例えば、ゴルフ場情報のデータとして、９ホールを１コース分として登録し、１つのゴルフ場で例えば５コース分など複数のコース分を登録したり、３ゴルフ場分等複数のゴルフ場分を内部のＲＯＭに記億したり出来る。
【００１７】
（今日のピンポジション情報の取得について）
Bluetooth無線通信またはUSBにてゴルフ情報送受信本体装置２などの外部機器と接続し、ゴルフ情報送受信本体装置２などの外部機器から今日のピンポジション情報を取得して内部のＲＯＭに記億できる。
ピンポジションは日によって変更されるため、取得したピンポジションはその日のみ有効とし、日付が変われば使用出来ない。
【００１８】
（自動ホール検出「Auto Hole Detect」について）
GPSで測位した現在位置が、ゴルフ場情報で取得したティポジションのサークル    内に入ると、自動的にホールを認識してそのホールのナビ１画面を表示する。
ティポジションは１ホール毎に最大６ケ所まで登録でき、サークル半径はそれぞれのポジション毎に設定できる。サークル半径の単位はヤードで行う。
端末の画面がメニュー画面もしくはプレイゴルフモードにある時に、GPS測位が        完了すればこの機能は働き、GPSステータスモード、設定モード、データ削除モード、通信モードでは機能しない。
また、端末の電源をＯＮにしてメニュー画面であれば、端末に登録されている全てのゴルフ場の全ホール（例えば３ゴルフ場）をサーチする。
しかし、一且、ホールを検出すると次のホールのティポジションしかサーチしない。
また、コースの最終ホール（９番ホール）では、同一ゴルフ場に登録してある全コース（9ホール）のスタートホール（1番ホール）をサーチする。
【００１９】
（地点登録について）
プレイ中にティショット地点とボールの落下地点でポジションボタンを押すと、        押された地点の位置情報を記億する。
その時、Bluetooth無線通信が通信可能な状態であれば、自動的に登録した地点        データをゴルフ情報送受信本体装置２などの外部機器に送信する。
プレイ中ゴルファー用携帯端末３に登録できる地点データは、例えば２００ポイントで、超過した場合は古いデータに上書きする。
また、プレイ日が異なる地点を登録すると前回のデータは全て消去される。
【００２０】
（ＧＰＳ情報の送信について）
１秒周期で、例えばNMEA-0183フォーマット（ＧＧＡ,ＧＳＡ,ＧＳＶＲＭＣ）のデータを外部機器、すなわちゴルフ情報送受信本体装置２などに出力する。
【００２１】
（ログ保存について）
１秒毎の位置情報をログ保存する。設定画面でログ保存の停止、保存動作（フルストップ、オーバーライト）の設定が行える。
【００２２】
（電源操作について）
たとえば、右サイドのスライドスイッチを設けて電源をＯＮ／ＯＦＦできる。
【００２３】
（タイトル画面について）
電源起動時に５秒間、タイトル画面を表示した後に自動的に初期画面に移行する。
【００２４】
メニュー画面からの操作につき、図６などを参照して説明する。該メニュー画面によって、コース選択などのプレイゴルフ選択、衛星ステータス表示、設定、データ消去などの項日が選択できる。
また、メニュー画面の状態からGPS受信機は測位を開始して、測位情報をゴルフ情報送受信本体装置２などの外部機器に出力できる。上段には測位状態を表示し、使用可能な状態か確認できる。図６などに示すように、下向きボタンで項日を選択して、四角ボタンで決定する。
【００２５】
図７に示す様に、Bluetooth無線通信状態を示すものとして符号１４に、通信中としてアンテナマークが表示される。
また、電池残量表示１５として、電池の電圧値をモニタして２段階で残量表示される。
衛星情報表示１７として、捕捉した衛星数と測位状態を表示する。例えば、            Ｓの表示  ・・・  測位中
白抜きのＳの表示・・・未測位
時刻については、GPSから時計情報１８を取得すると設定画面で選択した国の時刻を表示できる。
【００２６】
次に、ゴルフ場選択につき説明する。図８に示すように、プレイするゴルフ場を選択操作が行われる。
登録されているゴルフ場名称が表示され（最大で３名称）、下向きボタンで選択し、四角ボタンで決定する。そして、上向きボタンでメニュー画面に戻る。
なお、ゴルフ場名称については、表示文字は最大２０文字で８文字を超えた場合、文字がスクロールする。
【００２７】
次に、コース選択につき、図９を参照して説明する。まず、プレイするコースを選択する。すると、登録されているコース名称が表示される（最大で５名称）。
下向きボタンで選択し、四角ボタンで決定できる。また、上向きボタンでゴルフ場選択画面に戻る。なお、コース名称についても表示文字は最大２０文字で８文字を超えた場合、文字がスクロールする。
【００２８】
ホール選択については、図１０に示す。まず、プレイするホールを選択する。すると、登録されているホールNoが表示される（最大で９ホール）。下向きボタンで選択し、四角ボタンで決定する。上向きボタンでコース選択画面に戻る。
ここで、ホールＮｏはゴルフ場データに登録されているホールNoを表示する。通常は１〜９Ｈまたは１０〜１８Ｈ。
【００２９】
次に、ホール選択後、いわゆるプレイ画面の操作につき説明する。これをナビ１画面として図１１を参照して説明する。
図１１に示すように、この画面では、Bluetooth無線通信状態表示１４、電池残量表示１５、ホールNo表示１６、パー情報表示２１、GPSステータス、時刻表示１８、ターゲットまでの距離表示２５が表示されている。ターゲットは図１３から理解されるように、ピン、グリーンエッジ、グリーンセンターの３箇所から選択でき、下向きボタンでターゲットが切り替えられる。
ピンポジションは日によって変わるため、ゴルフ情報送受信本体装置２などの外部機器からピンポジション情報をダウンロードした場合だけピンを選択できる様になっている。
よってピンポジション情報の有効期限は１日とされる。
なお、２グリーンのホールでは、それぞれのグリーンに対して６箇所から選択でき、下向きボタンでターゲットを切り替る。四角ボタンを押すとその地点を記億してナビ２画面（飛距離表示）に移行する。
【００３０】
なお、図１２において、符号１６はホールNOを示し、現在プレイ中のホールNoを表示している。また、符号２１はパー情報を示し、現在プレイ中のホールのパー情報を表示している。符号２２はターゲットグリーンを示し、例えば、２グリーンのホールにおいて、ターゲットグリーンを表示素様構成される。Ｌ  ・・・  左グリーンを意味しターゲットマークの左に表示する。Ｒ  ・・・  右グリーンを意味しターゲットマークの右に表示する。
【００３１】
符号２３はターゲットマークを示し、図１３から理解されるように、ターゲット毎にマークが変化する。ピンはその日のピンポジション情報をダウンロードした時だけ表示する。
符号２４はターゲット名称であり、ここに、ターゲットの名称、例えばピン、エッジ、センターなどの名称を表示する。
符号２５はタ−ゲットまでの距離を示し、現在の位置からターゲットまでの残り距離をリアルタイムに表示する。そして、距離の単位はヤード（ｙ）またはメータ−（ｍ）で表示し、単位の切り替えは、設定画面で行われる。
【００３２】
次に、ナビ２画面（飛距離表示）の操作につき説明する。
ここでは、打数、ホールNo、パー情報、飛距離、ターゲットまでの距離が表示される。タ−ゲットは前記のように、ピン、グリーンエッジ、グリーンセンターの３箇所から選択でき、下向きボタンでターゲットを切り替えられる。ピンポジションは日によって変わるため、ゴルフ情報送受信本体装置２などの外部機器からピンポジション情報をダウンロードした場合だけピンを選択できる。
【００３３】
ターゲット名称２４は、ピン、エッジ、センターなど表示される。
図１５に示すように、符号２６はショット数（カウンタ機能）を示し、そのホールでのショット数が表示される。
飛距離表示は符号２７で示されており、前に地点登録した位置から現在の位置までの距離をリアルタイムに表示する。距離の単位はヤード（ｙ）またはメーター（ｍ）で表示し、単位の切り替えは、設定画面で行う。
タ−ゲットまでの距離２５は、現在の位置からターゲットまでの残り距離をリアルクイムに表示している。
【００３４】
地点登録とペナルティ設定につき、図１６を参照して説明する。前記ナビ１画面およびナビ２画面で四角ボタンを押すと地点登録画面に切り替わる。
地点登録画面で下向きボタンを押すとＹＥＳ−ＮＯが切り替わり、四角ボタンで決定される。また、地点登録画面で上向きボタンを押すと、登録地点のショット数が増加し、ペナルティが設定できる。ペナルティを開違えた場合は「ＮＯ」を選択して、もう一度燥作をやり直せる。
【００３５】
衛星ステータスの画面につき、図１７を参照して説明する。測位情報から測位状態、測位衛星数、緯度・経度、電波強度を表示する。
符号２８は測位衛星数（U8）を示す表示であり、測位に使用した衛星数が表示される。符号２９は緯度・経度を表示欄であり、位置情報が緯度・経度で表示される。符号３０は、衛星番号（最大８衛星まで）の表示欄で、衛星番号が表示される。符号３１は、電波強度（最大８衛星まで）の表示欄で、電波強度（ＳＮＲ値）が表示される。
【００３６】
図１８は、設定画面から各種の設定を行う状態が示されている。そして、プレイ中ゴルファー用携帯端末３での設定により行われる。
距離表示設定画面は図１９に、ホール切替え設定画面は図２０に、ログ保存設定画面は図２１に説明されている。
ところで、ゴルフ情報送受信本体装置２についてであるが、該ゴルフ情報送受信本体装置２は比較的大型のディスプレイなどの表示部６を有し、かつ長時間の駆動時間が確保できる電源部を有し、さらには高速のＣＰＵなどが搭載されていることが好ましい。
そして、該ゴルフ情報送受信本体装置２には各種のソフトが搭載され、例えば  
プレイ中のゴルフ場、ゴルフコース地図が閲覧できると共に、該ゴルフコース上での現在地上位置が明記でき、さらには現在地上位置から所定グリーンなどの特定位置までの残距離情報、ゴルフコース地図上に表されたゴルフプレイ進行方向、ゴルフプレイ速度等のゴルフプレイ関連情報が閲覧、操作できるものとなっている。
【００３７】
しかして、このゴルフ情報送受信本体装置２は、前述したように、重量が重く、大型でプレイ中のゴルファーにとって、持ち運びには不向きであるため、図３に示すように、ゴルフカート２０内に載置するのが通常である。
そして、プレイ中のゴルファー１３は前記のプレイ中ゴルファー用携帯端末２だけ携帯すればよいように構成されている。
すなわち、プレイ中のゴルファー１３は、当面所定のグリーンまでの残距離が認識できればよく、そのほかの詳細なゴルフ情報は、必要なときにゴルフカート２０まで戻り、そこに載置されているゴルフ情報送受信本体装置２で確認すればよいのである。また、プレイ中の移動により随時変更される地上位置情報は、プレイ中ゴルファー用携帯端末３で取得されているため、その情報をゴルフ情報送受信本体装置２に無線通信部７により送信すれば、最新の地上位置に更新された各種のゴルフ情報がゴルフ情報送受信本体装置２により得られることが出来るのである。
【００３８】
さらに、本考案において、プレイ中ゴルファー用携帯端末３を複数のゴルフゴルファー３が使用できるよう複数台用意し、これら複数人のゴルファー３が使用した複数台のプレイ中ゴルファー用携帯端末３からの情報をゴルフ情報送受信本体装置２に送信することにより、複数人のゴルファーにおける最新の地上位置に更新された各種のゴルフ情報がゴルフ情報送受信本体装置２により得られることが出来るのである。
【図面の簡単な説明】
【００３９】
【図１】本考案の構成を説明する構成説明図である。
【図２】本考案の使用状態を説明する使用状態説明図（その１）である。
【図３】本考案の使用状態を説明する使用状態説明図（その１）である。
【図４】ゴルフ情報送受信本体装置の構成を説明する構成説明図である。
【図５】プレイ中ゴルファー用携帯端末の構成を説明する構成説明図である。
【図６】プレイ中ゴルファー用携帯端末の操作画面を説明する説明図（その１）である。
【図７】プレイ中ゴルファー用携帯端末の操作画面を説明する説明図（その２）である。
【図８】プレイ中ゴルファー用携帯端末の操作画面を説明する説明図（その３）である。
【図９】プレイ中ゴルファー用携帯端末の操作画面を説明する説明図（その４）である。
【図１０】プレイ中ゴルファー用携帯端末の操作画面を説明する説明図（その５）である。
【図１１】プレイ中ゴルファー用携帯端末の操作画面を説明する説明図（その６）である。
【図１２】プレイ中ゴルファー用携帯端末の操作画面を説明する説明図（その７）である。
【図１３】プレイ中ゴルファー用携帯端末の操作画面を説明する説明図（その８）である。
【図１４】プレイ中ゴルファー用携帯端末の操作画面を説明する説明図（その９）である。
【図１５】プレイ中ゴルファー用携帯端末の操作画面を説明する説明図（その１０）である。
【図１６】プレイ中ゴルファー用携帯端末の操作画面を説明する説明図（その１１）である。
【図１７】プレイ中ゴルファー用携帯端末の操作画面を説明する説明図（その１２）である。
【図１８】プレイ中ゴルファー用携帯端末の操作画面を説明する説明図（その１３）である。
【図１９】プレイ中ゴルファー用携帯端末の操作画面を説明する説明図（その１４）である。
【図２０】プレイ中ゴルファー用携帯端末の操作画面を説明する説明図（その１５）である。
【図２１】プレイ中ゴルファー用携帯端末の操作画面を説明する説明図（その１６）である。
【符号の説明】
【００４０】
１      ゴルフ情報送受信装置
２      ゴルフ場放送受信本体装置
３      プレイ中ゴルファー用携帯端末
４      ＧＰＳレシーバ部
５      ゴルフプレイ情報演算取得部
６      表示部
７      無線通信部
８      ＧＰＳ衛星電波
９      残距離情報演算取得部
１１    入力部
１２    記憶部
１３    ゴルファー
１４    Ｂｌｕｅｔｏｏｔｈ無線状態を表示する図形
１５    電池残量を示す図形
１６    ホールＮｏを示す数字
１７    衛星情報の表示内容
１８    時刻情報
１９    グリーンまでの残距離
２０    ゴルフカート  
２１  パー情報
２２  ターゲットグリーン
２３  ターゲットマーク
２４  ターゲット名称
２５  ターゲットまでの距離
２６  ショット数
２７  飛距離表示
２８  測位衛星数表示
２９  経度・緯度の表示
３０  衛星番号表示欄
３１  電波強度表示欄
【図１】
0003139827.tif 000003
【図２】
0003139827.tif 000004
【図３】
0003139827.tif 000005
【図４】
0003139827.tif 000006
【図５】
0003139827.tif 000007
【図６】
0003139827.tif 000008
【図７】
0003139827.tif 000009
【図８】
0003139827.tif 000010
【図９】
0003139827.tif 000011
【図１０】
0003139827.tif 000012
【図１１】
0003139827.tif 000013
【図１２】
0003139827.tif 000014
【図１３】
0003139827.tif 000015
【図１４】
0003139827.tif 000016
【図１５】
0003139827.tif 000017
【図１６】
0003139827.tif 000018
【図１７】
0003139827.tif 000019
【図１８】
0003139827.tif 000020
【図１９】
0003139827.tif 000021
【図２０】
0003139827.tif 000022
【図２１】
0003139827.tif 000023
【手続補正書】
【提出日】平成19年12月6日(2007.12.6)
【手続補正１】
【補正対象書類名】実用新案登録請求の範囲
【補正対象項目名】全文
【補正方法】変更
【補正の内容】
【実用新案登録請求の範囲】
【請求項１】
ゴルフ情報送受信本体装置と、該ゴルフ情報送受信本体装置と送受信可能とされたプレイ中ゴルファー用携帯端末とを有して構成され、
ゴルフ情報送受信本体装置は、
ＧＰＳ衛星電波を受信し、ゴルフ場でのプレイ中のゴルファーが、現在地上位置情報が取得できるＧＰＳレシーバ部と、
前記現在地上位置情報により、特定位置までの残距離情報、ゴルフプレイ進行方向、ゴルフプレイ速度等のゴルフプレイ関連情報を算出して取得できるゴルフプレイ情報演算取得部と、
前記算出取得されたゴルフプレイ関連情報を表示する表示部と、
前記ゴルファー用携帯端末との間でＢｌｕｅｔｏｏｔｈ（登録商標）、Ｗｉ‐ｆｉ（登録商標）、無線ＬＡＮなどにより、少なくとも現在位置情報及び残距離情報を送受信できる無線通信部と、
を備えて構成され、
前記プレイ中ゴルファー用携帯端末は、
ＧＰＳ衛星電波を受信し、ゴルフ場でのプレイ中のゴルファーが、プレイ中の現在地上位置情報を取得できるＧＰＳレシーバ部と、
前記現在地上位置情報により特定位置までの残距離情報を演算取得する残距離情報演算取得部と、
前記取得された現在位置情報及び残距離情報を表示する表示部と、
前記ゴルフ情報送受信本体装置との間でＢｌｕｅｔｏｏｔｈ（登録商標）、Ｗｉ‐ｆｉ（登録商標）、無線ＬＡＮなどにより少なくとも現在位置情報及び残距離情報を送受信できる無線通信部と、
を備えた、
ことを特徴とするゴルフ情報送受信装置。
【請求項２】
前記プレイ中ゴルファー用携帯端末は、複数台設けられ、各々のプレイ中ゴルファー用携帯端末は、前記ゴルフ情報送受信本体装置と送受信可能としてなる、
ことを特徴とする請求項１記載のゴルフ情報送受信装置。
【手続補正２】
【補正対象書類名】明細書
【補正対象項目名】全文
【補正方法】変更
【補正の内容】
【考案の詳細な説明】
【技術分野】
【０００１】
本考案は、ゴルフ場でゴルフゴルファー３がプレイ中に現在の位置及び特定位置までの距離等の情報を手軽に得ることが出来るゴルファー用携帯端末と該携帯端末と簡単に情報の送受信ができると共に、ゴルフの詳細情報について取得、表示される本体装置の組み合わせからなるゴルフ情報送受信装置に関するものである。
【背景技術】
【０００２】
近年、ＧＰＳ衛星の電波を受信し、その受信した信号から、現在プレイ中の地上位置情報を取得すると共に、該現在地上位置情報を基に様々なゴルフプレイに関する情報を演算して取得し、その情報をゴルフゴルファー３のプレイに反映させて、ゴルファー３にハイスコアもたらすいわゆるハイテク型ゴルフ情報送受信装置が次々と開発されるに至っている。
しかしながら、これらのゴルフ情報送受信装置は、いまだ製品コストも高く、しかも重量も比較的重いものであり、ゴルフプレイ中、その本体装置を常時携帯することは、いかに瞬時に様々なゴルフプレイ情報が得られるものであっても、ゴルファーにとって常時携帯の負担が大きく、もってこの装置を使用することを躊躇うゴルファーがかなりの数存在していた。
そして、近年、軽くて携帯に便利で、製品コストも安く、しかも充分なゴルフに関する情報が送受信できるゴルフ情報送受信装置に開発が要請されるに至ったのである。
しかして、近年では前記の要請に応え、ＧＰＳ衛星電波が受信できる一般の携帯電話にゴルフに関する情報ソフトをも搭載し、この携帯電話をゴルフ情報送受信装置として使用する提案もなされるに至っている。
【０００３】
しかしながら、かかる携帯電話により構成されたゴルフ情報送受信装置では、ＧＰＳ衛星電波受信に伴う現在地上位置情報の取得と共に、他の情報も含めてやはり機能的に不充分であり、軽量ではあるがこれを使用によりゴルファーの欲求が充分に満たすものではなかった。
そこで、本件考案者らは思索に思索を重ね、前記ゴルファーの欲求を充分に満足させることの出来るゴルフ情報送受信装置を開発するに至った。
【特許文献１】実公平６−４７５０５号公報
【考案の開示】
【考案が解決しようとする課題】
【０００４】
かくして、本考案は、前記従来の課題に対処すべく案出されたものである。
すなわち、まず第１に、従来１台で構成されているゴルフ情報送受信装置をいわゆる親機と子機との複数台に分割した。
そして、ゴルフプレイ中に、真にゴルファーが必要とするゴルフ情報を厳選し、その情報だけ得られ、しかも軽量で、バッテリー能力も高く、さらには表示部の表示品位も優れた携帯端末を開発し、それをいわゆる子機としたのである。
さらに、詳細なゴルフプレイ情報は、親機から提供できるようにした。一般に、プレイ中のゴルファーは、例えばゴルフプレイの進行方向、ゴルフプレイの速度、風の向き、芝の状態などのゴルフプレイ関連情報は常時携帯する必要はあまりないものといえる。従ってその親機は例えばゴルフカートなどに配置しておき、必要なときだけ親機の情報を閲覧できればいいものである。
そして、プレイ中のゴルファーは、例えば、ゴルフプレイ中の現在地上位置が理解でき、該現在地上位置情報の取得から、日指すべきグリーンまでの残距離などの情報が前記携帯端末で随時取得できれば充分なのである。
従って、本考案は前記の課題に対処して、実際にプレイするゴルファーのニーズに応えた画期的なゴルフ情報送受信装置を提供することを日的とするものである。
【課題を解決するための手段】
【０００５】
本考案によるゴルフ情報送受信装置は、
ゴルフ情報送受信本体装置と、該ゴルフ情報送受信本体装置と送受信可能とされたプレイ中ゴルファー用携帯端末とを有して構成され、
ゴルフ情報送受信本体装置は、
ＧＰＳ衛星電波を受信し、ゴルフ場でのプレイ中のゴルファーが、現在地上位置情報が取得できるＧＰＳレシーバ部と、
前記現在地上位置情報により、特定位置までの残距離情報、ゴルフプレイ進行方向、ゴルフプレイ速度等のゴルフプレイ関連情報を算出して取得できるゴルフプレイ情報演算取得部と、
前記算出取得されたゴルフプレイ関連情報を表示する表示部と、
前記ゴルファー用携帯端末との間でＢｌｕｅｔｏｏｔｈ（登録商標）、Ｗｉ‐ｆｉ（登録商標）、無線ＬＡＮなどにより、少なくとも現在位置情報及び残距離情報を送受信できる無線通信部と、
を備えて構成され、
前記プレイ中ゴルファー用携帯端末は、
ＧＰＳ衛星電波を受信し、ゴルフ場でのプレイ中のゴルファーが、プレイ中の現在地上位置情報を取得できるＧＰＳレシーバ部と、
前記現在地上位置情報により特定位置までの残距離情報を演算取得する残距離情報演算取得部と、
前記取得された現在位置情報及び残距離情報を表示する表示部と、
前記ゴルフ情報送受信本体装置との間でＢｌｕｅｔｏｏｔｈ（登録商標）、Ｗｉ‐ｆｉ（登録商標）、無線ＬＡＮなどにより少なくとも現在位置情報及び残距離情報を送受信できる無線通信部と、
を備えた、
ことを特徴とし、
または、
前記プレイ中ゴルファー用携帯端末は、複数台設けられ、各々のプレイ中ゴルファー用携帯端末は、前記ゴルフ情報送受信本体装置と送受信可能としてなる、
ことを特徴とするものである。
【考案の効果】
【０００６】
本考案によるゴルフ情報送受信装置であれば、第１に、従来１台で構成されているゴルフ情報送受信装置をいわゆる親機と子機との複数台に分割し、該子機としては、ゴルフプレイ中に、真にゴルファーが必要とするゴルフ情報を厳選し、その情報だけ得られ、しかも軽量で、バッテリー能力も高く、さらには表示部の表示品位も優れた携帯端末となしえ、さらに、詳細なゴルフプレイ情報は、親機から提供できるようにし、一般に、プレイ中のゴルファーは、例えばゴルフプレイの進行方向、ゴルフプレイの速度、風の向き、芝の状態などのゴルフプレイ関連情報は常時携帯する必要はあまりないものといえ、従ってその親機は例えばゴルフカートなどに配置しておき、必要なときだけ親機の情報を閲覧できるようにし、プレイ中のゴルファーは、例えば、ゴルフプレイ中の現在地上位置が理解でき、該現在地上位置情報の取得から、日指すべきグリーンまでの残距離などの情報が前記携帯端末で随時取得でき、もって実際にプレイするゴルファーのニーズに的確に応えた画期的なゴルフ情報送受信装置を提供できるとの優れた効果を奏する。
【考案を実施するための最良の形態】
【０００７】
以下、本考案を図に示す最良の実施の形態に基づいて説明する。
本考案によるゴルフ情報送受信装置１は、図１から理解されるように、ゴルフ情報送受信本体装置２と、該ゴルフ情報送受信本体装置２と送受信可能とされたプレイ中ゴルファー用携帯端末３とを有して構成されている。
【０００８】
ここで、ゴルフ情報送受信本体装置２は、ＧＰＳ衛星電波８を受信し、ゴルフ場でのプレイ中のゴルファーが、現在地上位置情報を取得できるＧＰＳレシーバ部４と、前記現在地上位置情報により、特定位置までの残距離情報、ゴルフプレイ進行方向、ゴルフプレイ速度等のゴルフプレイ関連情報を算出して取得できるＣＰＵなどで構成されたゴルフプレイ情報演算取得部５と、前記算出取得されたゴルフプレイ関連情報を表示する表示部６と、前記ゴルファー用携帯端末との間でＢｌｕｅｔｏｏｔｈ（登録商標）、Ｗｉ‐ｆｉ（登録商標）、無線ＬＡＮなどにより、少なくとも現在位置情報及び残距離情報を送受信できる無線通信部７とを備え、そのほか入力部１１及びハードディスク、メモリなどの記憶部１２を有して構成されている。
【０００９】
また、前記プレイ中ゴルファー用携帯端末３は、図５に示すように、ＧＰＳ衛星電波８を受信し、ゴルフ場でのプレイ中のゴルファーが、プレイ中の現在地上位置情報を取得できるＧＰＳレシーバ部４と、前記現在地上位置情報により特定位置までの残距離情報を演算取得する残距離情報演算取得部９と、前記取得された現在位置情報及び残距離情報を表示する表示部６と、前記ゴルフ情報送受信本体装置２との間でＢｌｕｅｔｏｏｔｈ（登録商標）、Ｗｉ‐ｆｉ（登録商標）、無線ＬＡＮなどにより少なくとも現在位置情報及び残距離情報を送受信できる無線通信部７とを備え、そのほか入力部１１及びハードディスク、メモリなどの記憶部１２を有して構成されている。
【００１０】
次に、本考案の動作状態につき説明する。
まず、プレイ中のゴルファー１３は、自ら携帯するプレイ中ゴルファー用携帯端末３の操作がその場で行える（図２参照）。
ここで、プレイ中ゴルファー用携帯端末３は、前述の通り、ゴルファー３がプレイ中に現在のプレイ位置及び特定位置までの距離等の情報を得ることなどを日的とする携帯端末であり、ＧＰＳ衛星の電波を受信して、地上の位置（緯度、経度）、進行方向、速度等を算出し、無線通信にてゴルフ情報送受信本体装置２などの外部機器に前記の算出結果を出力するものである。
【００１１】
また、無線通信および有線通信にてゴルフ情報送受信本体装置２などの外部機器からゴルフ場のグリーンの位置情報を受信し、現在位置とグリーンまでの距離をディスプレイに表示できる。さらに、ゴルフ情報送受信本体装置２などの外部機器側ではプレイ中ゴルファー用携帯端末３で算出した測位情報を元に、コース上の位置や方位の確認ができる。
なお、プレイ中ゴルファー用携帯端末３は前述した通り、GPS測位機能、ゴルフ場情報の登録、地点記録、ログ保存、無線通信機能、表示機能を有している。
ここで、ＧＰＳ測位機能（GPSモジュール）により、GPS衛星の電波を受信して、日時、位置（緯度・経度）、高度、進行方向、速度を算出できる。
また、ゴルフ場情報の登録によって、ゴルフ場のコース情報を例えば複数のゴルフ場分登録できる。
さらに、地点登録（飛球位置）により、ポジションボタンを押した地点の位置情報を２００ポイント分など複数のポイント分記録できる。
また、ログ保存により移動した軌跡（ログ）を保存できる。
【００１２】
さらに、通信機能によって、Bluetooth（登録商標）無線通信およびUSBにて、毎秒のGPS測位情報及び記録した位置情報をゴルフ情報送受信本体装置２などの外部機器に出力します。また、ゴルフ情報送受信本体装置２などの外部機器からゴルフ場情報を受信できる。
表示機能によっては、ゴルフ場選択、コース選択、ホール情報、グリーンまでの残距離、飛距離、衛星情報をディスプレイに表示できる。
プレイ中ゴルファー用携帯端末３にはプレイゴルフモード、GPSステータスモード、設定モード、データ削除モード、データ通信モードがある。また、GPSの測位結果を１秒周期でBluetooth（登録商標）無線通信およびＵＳＢにてゴルフ情報送受信本体装置２などの外部機器に出力し、内部ＲＯＭにもログとして保存できる。
【００１３】
プレイゴルフモードとは、プレイ時のサポード情報を表示するモードで、現在位置とターゲット（本日のピン、グリーンエッジ、グリーンセンター）までの距離を表示する。
１ホールにグリーンが２つあるホールでは左グリーン、右グリーンの６箇所がターゲットとして表示される。また、ボール位置を最大で200ポイントまで記録でき、ショットを行う前にボール位置でポジションボタンを押すと、その位置情報を記録して、飛距離やショット数を表示する。
【００１４】
表示する距離の単位はヤードまたはメーターで、設定画面で切換えが可能になっている。自動的にホールを検出（Auto Hole Detect）し、そのホールの情報を表示する。この機能（Auto Hole Detect）も設定画面で自動／手動の設定が可能となっている。
GPS ステークスモードとは、GPS衛星の状態を表示するモードであり、測位結果から緯度、経度、抽捉衛星数を表示する。また、各衛星から受信した電波の強度を表示する。
設定モード、すんわち、設定を変更するモードで、距離の単位（ヤード／メーター）、ホール切替え方法、ログの保存、コントラスト表示、言語の設定が行える。
【００１５】
また、データ削除モードにより内部に保存しているデータを削除できる。例えば、ゴルフ場データ、地点データ、ログデータを削除できる。
さらに、データ通信モードによりゴルフ情報送受信本体装置２などの外部機器とデータ通信を行える。
そして、ゴルフ情報送受信本体装置２などの外部機器からデータ通信要求を受信すれば、測位データ（NMEA-0183）の出力を停止して、ゴルフ情報送受信本体装置２などの外部機器とデータの送受信が行える。
【００１６】
（ゴルフ場情報の取得について）
Bluetooth（登録商標）無線通信またはUSBにてゴルフ情報送受信本体装置２などの外部機器と接続し、ゴルフ情報送受信本体装置２などの外部機器からゴルフ場情報を取得して内部のＲＯＭに記億できる。なお、このゴルフ場情報データの記憶は例えば数１００件可能ともなる。
そして、例えば、ゴルフ場情報のデータとして、９ホールを１コース分として登録し、１つのゴルフ場で例えば５コース分など複数のコース分を登録したり、３ゴルフ場分等複数のゴルフ場分を内部のＲＯＭに記億したり出来る。
【００１７】
（今日のピンポジション情報の取得について）
Bluetooth（登録商標）無線通信またはUSBにてゴルフ情報送受信本体装置２などの外部機器と接続し、ゴルフ情報送受信本体装置２などの外部機器から今日のピンポジション情報を取得して内部のＲＯＭに記億できる。
ピンポジションは日によって変更されるため、取得したピンポジションはその日のみ有効とし、日付が変われば使用出来ない。
【００１８】
（自動ホール検出「Auto Hole Detect」について）
GPSで測位した現在位置が、ゴルフ場情報で取得したティポジションのサークル    内に入ると、自動的にホールを認識してそのホールのナビ１画面を表示する。
ティポジションは１ホール毎に最大６ケ所まで登録でき、サークル半径はそれぞれのポジション毎に設定できる。サークル半径の単位はヤードで行う。
端末の画面がメニュー画面もしくはプレイゴルフモードにある時に、GPS測位が        完了すればこの機能は働き、GPSステータスモード、設定モード、データ削除モード、通信モードでは機能しない。
また、端末の電源をＯＮにしてメニュー画面であれば、端末に登録されている全てのゴルフ場の全ホール（例えば３ゴルフ場）をサーチする。
しかし、一且、ホールを検出すると次のホールのティポジションしかサーチしない。
また、コースの最終ホール（９番ホール）では、同一ゴルフ場に登録してある全コース（9ホール）のスタートホール（1番ホール）をサーチする。
【００１９】
（地点登録について）
プレイ中にティショット地点とボールの落下地点でポジションボタンを押すと、        押された地点の位置情報を記億する。
その時、Bluetooth（登録商標）無線通信が通信可能な状態であれば、自動的に登録した地点データをゴルフ情報送受信本体装置２などの外部機器に送信する。
プレイ中ゴルファー用携帯端末３に登録できる地点データは、例えば２００ポイントで、超過した場合は古いデータに上書きする。
また、プレイ日が異なる地点を登録すると前回のデータは全て消去される。
【００２０】
（ＧＰＳ情報の送信について）
１秒周期で、例えばNMEA-0183フォーマット（ＧＧＡ,ＧＳＡ,ＧＳＶＲＭＣ）のデータを外部機器、すなわちゴルフ情報送受信本体装置２などに出力する。
【００２１】
（ログ保存について）
１秒毎の位置情報をログ保存する。設定画面でログ保存の停止、保存動作（フルストップ、オーバーライト）の設定が行える。
【００２２】
（電源操作について）
たとえば、右サイドのスライドスイッチを設けて電源をＯＮ／ＯＦＦできる。
【００２３】
（タイトル画面について）
電源起動時に５秒間、タイトル画面を表示した後に自動的に初期画面に移行する。
【００２４】
メニュー画面からの操作につき、図６などを参照して説明する。該メニュー画面によって、コース選択などのプレイゴルフ選択、衛星ステータス表示、設定、データ消去などの項日が選択できる。
また、メニュー画面の状態からGPS受信機は測位を開始して、測位情報をゴルフ情報送受信本体装置２などの外部機器に出力できる。上段には測位状態を表示し、使用可能な状態か確認できる。図６などに示すように、下向きボタンで項日を選択して、四角ボタンで決定する。
【００２５】
図７に示す様に、Bluetooth（登録商標）無線通信状態を示すものとして符号１４に、通信中としてアンテナマークが表示される。
また、電池残量表示１５として、電池の電圧値をモニタして２段階で残量表示される。
衛星情報表示１７として、捕捉した衛星数と測位状態を表示する。例えば、            Ｓの表示  ・・・  測位中
白抜きのＳの表示・・・未測位
時刻については、GPSから時計情報１８を取得すると設定画面で選択した国の時刻を表示できる。
【００２６】
次に、ゴルフ場選択につき説明する。図８に示すように、プレイするゴルフ場を選択操作が行われる。
登録されているゴルフ場名称が表示され（最大で３名称）、下向きボタンで選択し、四角ボタンで決定する。そして、上向きボタンでメニュー画面に戻る。
なお、ゴルフ場名称については、表示文字は最大２０文字で８文字を超えた場合、文字がスクロールする。
【００２７】
次に、コース選択につき、図９を参照して説明する。まず、プレイするコースを選択する。すると、登録されているコース名称が表示される（最大で５名称）。
下向きボタンで選択し、四角ボタンで決定できる。また、上向きボタンでゴルフ場選択画面に戻る。なお、コース名称についても表示文字は最大２０文字で８文字を超えた場合、文字がスクロールする。
【００２８】
ホール選択については、図１０に示す。まず、プレイするホールを選択する。すると、登録されているホールNoが表示される（最大で９ホール）。下向きボタンで選択し、四角ボタンで決定する。上向きボタンでコース選択画面に戻る。
ここで、ホールＮｏはゴルフ場データに登録されているホールNoを表示する。通常は１〜９Ｈまたは１０〜１８Ｈ。
【００２９】
次に、ホール選択後、いわゆるプレイ画面の操作につき説明する。これをナビ１画面として図１１を参照して説明する。
図１１に示すように、この画面では、Bluetooth（登録商標）無線通信状態表示１４、電池残量表示１５、ホールNo表示１６、パー情報表示２１、GPSステータス、時刻表示１８、ターゲットまでの距離表示２５が表示されている。ターゲットは図１３から理解されるように、ピン、グリーンエッジ、グリーンセンターの３箇所から選択でき、下向きボタンでターゲットが切り替えられる。
ピンポジションは日によって変わるため、ゴルフ情報送受信本体装置２などの外部機器からピンポジション情報をダウンロードした場合だけピンを選択できる様になっている。
よってピンポジション情報の有効期限は１日とされる。
なお、２グリーンのホールでは、それぞれのグリーンに対して６箇所から選択でき、下向きボタンでターゲットを切り替る。四角ボタンを押すとその地点を記億してナビ２画面（飛距離表示）に移行する。
【００３０】
なお、図１２において、符号１６はホールNOを示し、現在プレイ中のホールNoを表示している。また、符号２１はパー情報を示し、現在プレイ中のホールのパー情報を表示している。符号２２はターゲットグリーンを示し、例えば、２グリーンのホールにおいて、ターゲットグリーンを表示素様構成される。Ｌ  ・・・  左グリーンを意味しターゲットマークの左に表示する。Ｒ  ・・・  右グリーンを意味しターゲットマークの右に表示する。
【００３１】
符号２３はターゲットマークを示し、図１３から理解されるように、ターゲット毎にマークが変化する。ピンはその日のピンポジション情報をダウンロードした時だけ表示する。
符号２４はターゲット名称であり、ここに、ターゲットの名称、例えばピン、エッジ、センターなどの名称を表示する。
符号２５はタ−ゲットまでの距離を示し、現在の位置からターゲットまでの残り距離をリアルタイムに表示する。そして、距離の単位はヤード（ｙ）またはメータ−（ｍ）で表示し、単位の切り替えは、設定画面で行われる。
【００３２】
次に、ナビ２画面（飛距離表示）の操作につき説明する。
ここでは、打数、ホールNo、パー情報、飛距離、ターゲットまでの距離が表示される。タ−ゲットは前記のように、ピン、グリーンエッジ、グリーンセンターの３箇所から選択でき、下向きボタンでターゲットを切り替えられる。ピンポジションは日によって変わるため、ゴルフ情報送受信本体装置２などの外部機器からピンポジション情報をダウンロードした場合だけピンを選択できる。
【００３３】
ターゲット名称２４は、ピン、エッジ、センターなど表示される。
図１５に示すように、符号２６はショット数（カウンタ機能）を示し、そのホールでのショット数が表示される。
飛距離表示は符号２７で示されており、前に地点登録した位置から現在の位置までの距離をリアルタイムに表示する。距離の単位はヤード（ｙ）またはメーター（ｍ）で表示し、単位の切り替えは、設定画面で行う。
タ−ゲットまでの距離２５は、現在の位置からターゲットまでの残り距離をリアルクイムに表示している。
【００３４】
地点登録とペナルティ設定につき、図１６を参照して説明する。前記ナビ１画面およびナビ２画面で四角ボタンを押すと地点登録画面に切り替わる。
地点登録画面で下向きボタンを押すとＹＥＳ−ＮＯが切り替わり、四角ボタンで決定される。また、地点登録画面で上向きボタンを押すと、登録地点のショット数が増加し、ペナルティが設定できる。ペナルティを開違えた場合は「ＮＯ」を選択して、もう一度燥作をやり直せる。
【００３５】
衛星ステータスの画面につき、図１７を参照して説明する。測位情報から測位状態、測位衛星数、緯度・経度、電波強度を表示する。
符号２８は測位衛星数（U8）を示す表示であり、測位に使用した衛星数が表示される。符号２９は緯度・経度を表示欄であり、位置情報が緯度・経度で表示される。符号３０は、衛星番号（最大８衛星まで）の表示欄で、衛星番号が表示される。符号３１は、電波強度（最大８衛星まで）の表示欄で、電波強度（ＳＮＲ値）が表示される。
【００３６】
図１８は、設定画面から各種の設定を行う状態が示されている。そして、プレイ中ゴルファー用携帯端末３での設定により行われる。
距離表示設定画面は図１９に、ホール切替え設定画面は図２０に、ログ保存設定画面は図２１に説明されている。
ところで、ゴルフ情報送受信本体装置２についてであるが、該ゴルフ情報送受信本体装置２は比較的大型のディスプレイなどの表示部６を有し、かつ長時間の駆動時間が確保できる電源部を有し、さらには高速のＣＰＵなどが搭載されていることが好ましい。
そして、該ゴルフ情報送受信本体装置２には各種のソフトが搭載され、例えば  
プレイ中のゴルフ場、ゴルフコース地図が閲覧できると共に、該ゴルフコース上での現在地上位置が明記でき、さらには現在地上位置から所定グリーンなどの特定位置までの残距離情報、ゴルフコース地図上に表されたゴルフプレイ進行方向、ゴルフプレイ速度等のゴルフプレイ関連情報が閲覧、操作できるものとなっている。
【００３７】
しかして、このゴルフ情報送受信本体装置２は、前述したように、重量が重く、大型でプレイ中のゴルファーにとって、持ち運びには不向きであるため、図３に示すように、ゴルフカート２０内に載置するのが通常である。
そして、プレイ中のゴルファー１３は前記のプレイ中ゴルファー用携帯端末２だけ携帯すればよいように構成されている。
すなわち、プレイ中のゴルファー１３は、当面所定のグリーンまでの残距離が認識できればよく、そのほかの詳細なゴルフ情報は、必要なときにゴルフカート２０まで戻り、そこに載置されているゴルフ情報送受信本体装置２で確認すればよいのである。また、プレイ中の移動により随時変更される地上位置情報は、プレイ中ゴルファー用携帯端末３で取得されているため、その情報をゴルフ情報送受信本体装置２に無線通信部７により送信すれば、最新の地上位置に更新された各種のゴルフ情報がゴルフ情報送受信本体装置２により得られることが出来るのである。
【００３８】
さらに、本考案において、プレイ中ゴルファー用携帯端末３を複数のゴルフゴルファー３が使用できるよう複数台用意し、これら複数人のゴルファー３が使用した複数台のプレイ中ゴルファー用携帯端末３からの情報をゴルフ情報送受信本体装置２に送信することにより、複数人のゴルファーにおける最新の地上位置に更新された各種のゴルフ情報がゴルフ情報送受信本体装置２により得られることが出来るのである。
【図面の簡単な説明】
【００３９】
【図１】本考案の構成を説明する構成説明図である。
【図２】本考案の使用状態を説明する使用状態説明図（その１）である。
【図３】本考案の使用状態を説明する使用状態説明図（その１）である。
【図４】ゴルフ情報送受信本体装置の構成を説明する構成説明図である。
【図５】プレイ中ゴルファー用携帯端末の構成を説明する構成説明図である。
【図６】プレイ中ゴルファー用携帯端末の操作画面を説明する説明図（その１）である。
【図７】プレイ中ゴルファー用携帯端末の操作画面を説明する説明図（その２）である。
【図８】プレイ中ゴルファー用携帯端末の操作画面を説明する説明図（その３）である。
【図９】プレイ中ゴルファー用携帯端末の操作画面を説明する説明図（その４）である。
【図１０】プレイ中ゴルファー用携帯端末の操作画面を説明する説明図（その５）である。
【図１１】プレイ中ゴルファー用携帯端末の操作画面を説明する説明図（その６）である。
【図１２】プレイ中ゴルファー用携帯端末の操作画面を説明する説明図（その７）である。
【図１３】プレイ中ゴルファー用携帯端末の操作画面を説明する説明図（その８）である。
【図１４】プレイ中ゴルファー用携帯端末の操作画面を説明する説明図（その９）である。
【図１５】プレイ中ゴルファー用携帯端末の操作画面を説明する説明図（その１０）である。
【図１６】プレイ中ゴルファー用携帯端末の操作画面を説明する説明図（その１１）である。
【図１７】プレイ中ゴルファー用携帯端末の操作画面を説明する説明図（その１２）である。
【図１８】プレイ中ゴルファー用携帯端末の操作画面を説明する説明図（その１３）である。
【図１９】プレイ中ゴルファー用携帯端末の操作画面を説明する説明図（その１４）である。
【図２０】プレイ中ゴルファー用携帯端末の操作画面を説明する説明図（その１５）である。
【図２１】プレイ中ゴルファー用携帯端末の操作画面を説明する説明図（その１６）である。
【符号の説明】
【００４０】
１      ゴルフ情報送受信装置
２      ゴルフ場放送受信本体装置
３      プレイ中ゴルファー用携帯端末
４      ＧＰＳレシーバ部
５      ゴルフプレイ情報演算取得部
６      表示部
７      無線通信部
８      ＧＰＳ衛星電波
９      残距離情報演算取得部
１１    入力部
１２    記憶部
１３    ゴルファー
１４    Ｂｌｕｅｔｏｏｔｈ（登録商標）無線状態を表示する図形
１５    電池残量を示す図形
１６    ホールＮｏを示す数字
１７    衛星情報の表示内容
１８    時刻情報
１９    グリーンまでの残距離
２０    ゴルフカート  
２１  パー情報
２２  ターゲットグリーン
２３  ターゲットマーク
２４  ターゲット名称
２５  ターゲットまでの距離
２６  ショット数
２７  飛距離表示
２８  測位衛星数表示
２９  経度・緯度の表示
３０  衛星番号表示欄
３１  電波強度表示欄
【手続補正３】
【補正対象書類名】図面
【補正対象項目名】図１
【補正方法】変更
【補正の内容】
【図１】
0003139827.tif 000024
【手続補正４】
【補正対象書類名】図面
【補正対象項目名】図４
【補正方法】変更
【補正の内容】
【図４】
0003139827.tif 000025
【手続補正５】
【補正対象書類名】図面
【補正対象項目名】図５
【補正方法】変更
【補正の内容】
【図５】
0003139827.tif 000026